Podtech/llm-jp-corpus-v4-ja_patent huggingface dataset:
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
ドットコード生成アルゴリズムによりドットを所定の規則に則って配列したドットパターンであって、
（Ａ）第一方向ラインと、該第一方向ラインと交差する第二方向ラインと、を定義する複数のドット、
（Ｂ）前記第一方向ラインと第二方向ラインからずれて配置されて向きを認識可能にする少なくとも一つのドット、および、
（Ｃ）前記複数のドットと前記第一方向ラインと前記第二方向ラインとによって定義される交点からずれた配置と、前記複数のドットを含む格子で囲まれた中心点からずれた配置と、の少なくともいずれかの配置によって情報が定義されるドット
を所定の規則に則って配列した、
ドットパターン。
【請求項２】
請求項１記載のドットパターンが形成された媒体。
【請求項３】
請求項１記載のドットパターンを撮影し、
解析して当該ドットパターンの定義するデータ内容を取得する、ドットパターン読み取り方法。
【請求項４】
請求項１記載のドットパターンが形成された媒体を読取り手段で読み取るステップと、
処理手段によって、
該ドットパターンからドットを抽出するステップと、
該ドットの配置にしたがって該ドットパターンの定義するデータ内容を解析するステップと、
記憶手段に記憶された、該データ内容に対応した情報を出力手段で出力するステップと、
を含む、ドットパターンを用いた情報処理方法。
【請求項５】
請求項１記載のドットパターンを形成した媒体に対して、
該媒体のドットパターンを撮影する手段を備えたドットパターン読取装置。
【請求項６】
前記ドットパターンからドットを抽出する手段をさらに備えた請求項５記載のドットパターン読取装置。
【請求項７】
前記ドットの配置にしたがって該ドットパターンの定義するデータ内容を解析する手段をさらに備えた請求項６記載のドットパターン読取装置。
【請求項８】
請求項１記載のドットパターンを形成した媒体に対して、
該媒体のドットパターンを撮影する手段と、
前記ドットパターンからドットを抽出する手段と、
該ドットの配置にしたがって該ドットパターンの定義するデータ内容を解析する手段と、
該データ内容に対応した情報を記憶する記憶手段と、
該データ内容に対応した情報を出力する出力手段と、を備えたドットパターンを用いた情報処理装置。
【請求項９】
請求項１記載のドットパターンからドットを抽出するステップと、
該ドットの配置にしたがって該ドットパターンの定義するデータ内容を解析するステップと、
を情報処理装置に実行させるためのプログラム。
【請求項１０】
請求項１記載のドットパターンからドットを抽出する手段と、
該ドットの配置にしたがって該ドットパターンの定義するデータ内容を解析する手段と、
を備えたドットパターンを用いた情報処理装置。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
判別を実行する判別手段と、
その判別手段による判別結果を示すための複数の図柄列で構成された識別情報が表示される表示手段と、
その表示手段に前記識別情報を動的表示させた後、前記判別手段による前記判別結果を示すための停止表示態様で識別情報を停止表示させる表示制御手段と、を有し、
前記表示制御手段により、前記判別結果が特定の判別結果であることを示すための停止表示態様で前記識別情報が停止表示された場合に、特典遊技が付与される遊技機において、
前記特定の判別結果であることを示すための停止表示態様は、前記複数の図柄列が特定の図柄の組み合わせで停止表示されるものであり、
前記表示制御手段は、前記複数の図柄列のうち、少なくとも２以上の図柄列を前記特定の判別結果を示すための組み合わせの一部となる図柄の組み合わせで停止または仮停止表示させるリーチ表示態様で表示させることが可能に構成されており、
前記遊技機は、
前記表示制御手段により前記識別情報が動的表示されてから前記リーチ表示態様で表示されるまでの間に、前記判別結果に関わる補助情報を前記識別情報とは別に前記表示手段に表示させる補助情報表示手段と、
その補助情報表示手段により表示された前記補助情報に前記判別手段による判別結果を示唆可能な示唆態様を付加するための複数の示唆情報を前記表示手段に表示させる示唆情報表示手段と、
その示唆情報表示手段により表示された前記複数の示唆情報のうち、１の示唆情報に対応する示唆態様を前記補助情報に付加して表示させる補助表示態様制御手段と、を有し、
示唆情報表示手段により表示されうる前記複数の示唆情報には、第１示唆情報と、その第１示唆情報よりも前記特定の判別結果である場合に前記補助情報に付加して表示され易い第２示唆情報とが少なくとも設定されており、
前記第１示唆情報と前記第２示唆情報とは、異なる表示態様で構成されているものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００７
【補正方法】変更
【補正の内容】
【０００７】
この目的を達成するために請求項１記載の遊技機は、判別を実行する判別手段と、その判別手段による判別結果を示すための複数の図柄列で構成された識別情報が表示される表示手段と、その表示手段に前記識別情報を動的表示させた後、前記判別手段による前記判別結果を示すための停止表示態様で識別情報を停止表示させる表示制御手段と、を有し、前記表示制御手段により、前記判別結果が特定の判別結果であることを示すための停止表示態様で前記識別情報が停止表示された場合に、特典遊技が付与されるものであり、前記特定の判別結果であることを示すための停止表示態様は、前記複数の図柄列が特定の図柄の組み合わせで停止表示されるものであり、前記表示制御手段は、前記複数の図柄列のうち、少なくとも２以上の図柄列を前記特定の判別結果を示すための組み合わせの一部となる図柄の組み合わせで停止または仮停止表示させるリーチ表示態様で表示させることが可能に構成されており、前記遊技機は、前記表示制御手段により前記識別情報が動的表示されてから前記リーチ表示態様で表示されるまでの間に、前記判別結果に関わる補助情報を前記識別情報とは別に前記表示手段に表示させる補助情報表示手段と、その補助情報表示手段により表示された前記補助情報に前記判別手段による判別結果を示唆可能な示唆態様を付加するための複数の示唆情報を前記表示手段に表示させる示唆情報表示手段と、その示唆情報表示手段により表示された前記複数の示唆情報のうち、１の示唆情報に対応する示唆態様を前記補助情報に付加して表示させる補助表示態様制御手段と、を有し、示唆情報表示手段により表示されうる前記複数の示唆情報には、第１示唆情報と、その第１示唆情報よりも前記特定の判別結果である場合に前記補助情報に付加して表示され易い第２示唆情報とが少なくとも設定されており、前記第１示唆情報と前記第２示唆情報とは、異なる表示態様で構成されているものである。
【手続補正３】
【補正対象書類名】明細書
【補正対象項目名】０００９
【補正方法】変更
【補正の内容】
【０００９】
請求項１記載の遊技機によれば、判別を実行する判別手段と、その判別手段による判別結果を示すための複数の図柄列で構成された識別情報が表示される表示手段と、その表示手段に前記識別情報を動的表示させた後、前記判別手段による前記判別結果を示すための停止表示態様で識別情報を停止表示させる表示制御手段と、を有し、前記表示制御手段により、前記判別結果が特定の判別結果であることを示すための停止表示態様で前記識別情報が停止表示された場合に、特典遊技が付与されるものであり、前記特定の判別結果であることを示すための停止表示態様は、前記複数の図柄列が特定の図柄の組み合わせで停止表示されるものであり、前記表示制御手段は、前記複数の図柄列のうち、少なくとも２以上の図柄列を前記特定の判別結果を示すための組み合わせの一部となる図柄の組み合わせで停止または仮停止表示させるリーチ表示態様で表示させることが可能に構成されており、前記遊技機は、前記表示制御手段により前記識別情報が動的表示されてから前記リーチ表示態様で表示されるまでの間に、前記判別結果に関わる補助情報を前記識別情報とは別に前記表示手段に表示させる補助情報表示手段と、その補助情報表示手段により表示された前記補助情報に前記判別手段による判別結果を示唆可能な示唆態様を付加するための複数の示唆情報を前記表示手段に表示させる示唆情報表示手段と、その示唆情報表示手段により表示された前記複数の示唆情報のうち、１の示唆情報に対応する示唆態様を前記補助情報に付加して表示させる補助表示態様制御手段と、を有し、示唆情報表示手段により表示されうる前記複数の示唆情報には、第１示唆情報と、その第１示唆情報よりも前記特定の判別結果である場合に前記補助情報に付加して表示され易い第２示唆情報とが少なくとも設定されており、前記第１示唆情報と前記第２示唆情報とは、異なる表示態様で構成されているものである。よって、遊技に対する興趣を向上させることができるという効果がある。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
判別を実行する判別手段と、
その判別手段による判別結果を報知するための少なくとも複数の図柄列からなる識別情報が表示される表示手段と、
前記複数の図柄列を動的表示させた後に、前記判別結果を示すための組合せで前記複数の図柄列における図柄をそれぞれ表示させる動的表示手段と、を有する遊技機において、
前記識別情報を前記表示手段に動的表示させる動的表示態様として、前記判別結果に基づいて、複数の動的表示態様から一の動的表示態様を決定する動的表示態様決定手段と、
１つ前に実行された動的表示後に表示された前記図柄に関連する特定演出表示をその次の動的表示の開始に基づいて前記表示手段に表示させる演出表示手段と、
その演出表示手段により表示された前記特定演出表示の内容が所定条件を満たした場合に、特殊演出を実行する特殊演出実行手段と、を有し、
前記複数の動的表示態様には、予め定められた特定動的表示態様が設定されており、
前記演出表示手段は、前記特定動的表示態様で動的表示される前記識別情報よりも１つ前の動的表示後に表示された前記図柄に関連した前記特定演出表示を表示させるものであり、
前記特定動的表示態様の動的表示が開始される前に表示される前記複数の図柄列における図柄は、前記特定の判別結果以外の判別結果を示すための組合せでそれぞれ表示されるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００１
【補正方法】変更
【補正の内容】
【０００１】
本発明は、パチンコ機等に代表される遊技機に関するものである。
【手続補正３】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や当たり演出を、液晶画面上に表示するパチンコ機等が知られている。かかる演出では、遊技者に期待感を持たせるための演出や、遊技者の遊技への参加意欲を高めるための演出など、様々なパターンの演出が実行され、遊技の興趣向上が図られている。
【手続補正４】
【補正対象書類名】明細書
【補正対象項目名】０００３
【補正方法】変更
【補正の内容】
【０００３】
このようなパチンコ機等において、遊技者に遊技に関わる予告演出が実行される遊技機が提案されている。
【手続補正５】
【補正対象書類名】明細書
【補正対象項目名】０００７
【補正方法】変更
【補正の内容】
【０００７】
この目的を達成するために請求項１記載の遊技機は、判別を実行する判別手段と、その判別手段による判別結果を報知するための少なくとも複数の図柄列からなる識別情報が表示される表示手段と、前記複数の図柄列を動的表示させた後に、前記判別結果を示すための組合せで前記複数の図柄列における図柄をそれぞれ表示させる動的表示手段と、を有し、前記識別情報を前記表示手段に動的表示させる動的表示態様として、前記判別結果に基づいて、複数の動的表示態様から一の動的表示態様を決定する動的表示態様決定手段と、１つ前に実行された動的表示後に表示された前記図柄に関連する特定演出表示をその次の動的表示の開始に基づいて前記表示手段に表示させる演出表示手段と、その演出表示手段により表示された前記特定演出表示の内容が所定条件を満たした場合に、特殊演出を実行する特殊演出実行手段と、を有し、前記複数の動的表示態様には、予め定められた特定動的表示態様が設定されており、前記演出表示手段は、前記特定動的表示態様で動的表示される前記識別情報よりも１つ前の動的表示後に表示された前記図柄に関連した前記特定演出表示を表示させるものであり、前記特定動的表示態様の動的表示が開始される前に表示される前記複数の図柄列における図柄は、前記特定の判別結果以外の判別結果を示すための組合せでそれぞれ表示されるものである。
【手続補正６】
【補正対象書類名】明細書
【補正対象項目名】０００８
【補正方法】変更
【補正の内容】
【０００８】
請求項２記載の遊技機は、請求項１に記載の遊技機において、前記表示手段は、液晶ディスプレイで構成されているものである。
【手続補正７】
【補正対象書類名】明細書
【補正対象項目名】００１０
【補正方法】変更
【補正の内容】
【００１０】
請求項１記載の遊技機によれば、判別を実行する判別手段と、その判別手段による判別結果を報知するための少なくとも複数の図柄列からなる識別情報が表示される表示手段と、前記複数の図柄列を動的表示させた後に、前記判別結果を示すための組合せで前記複数の図柄列における図柄をそれぞれ表示させる動的表示手段と、を有し、前記識別情報を前記表示手段に動的表示させる動的表示態様として、前記判別結果に基づいて、複数の動的表示態様から一の動的表示態様を決定する動的表示態様決定手段と、１つ前に実行された動的表示後に表示された前記図柄に関連する特定演出表示をその次の動的表示の開始に基づいて前記表示手段に表示させる演出表示手段と、その演出表示手段により表示された前記特定演出表示の内容が所定条件を満たした場合に、特殊演出を実行する特殊演出実行手段と、を有し、前記複数の動的表示態様には、予め定められた特定動的表示態様が設定されており、前記演出表示手段は、前記特定動的表示態様で動的表示される前記識別情報よりも１つ前の動的表示後に表示された前記図柄に関連した前記特定演出表示を表示させるものであり、前記特定動的表示態様の動的表示が開始される前に表示される前記複数の図柄列における図柄は、前記特定の判別結果以外の判別結果を示すための組合せでそれぞれ表示されるものである。よって、遊技に対する興趣を向上させることができるという効果がある。
【手続補正８】
【補正対象書類名】明細書
【補正対象項目名】００１１
【補正方法】変更
【補正の内容】
【００１１】
請求項２記載の遊技機によれば、請求項１記載の遊技機の奏する効果に加え、次の効果を奏する。即ち、前記表示手段は、液晶ディスプレイで構成されているものである。よって、多様な表示態様を表示できるという効果がある。
【手続補正９】
【補正対象書類名】明細書
【補正対象項目名】０９０９
【補正方法】変更
【補正の内容】
【０９０９】
１０                  パチンコ機（遊技機）
８１                  第３図柄表示装置（表示手段）
２３３ ワークＲＡＭ（記憶手段の一部）
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
駆動力を発生する駆動手段と、その駆動手段が発生する駆動力により駆動されて変位される被駆動部材と、その被駆動部材を変位可能とするための第１手段と、を備えた遊技機において、
前記被駆動部材に対して変位可能に配設される配設部材と、その配設部材の前記第１手段に対する変位を規定する変位規定手段と、を備え、
前記変位規定手段により前記配設部材の前記第１手段に対する変位が規定されることで、前記駆動手段の駆動力により前記被駆動部材が変位される際に、前記配設部材が前記被駆動部材に対して相対変位され、
前記変位規定手段は、第１部材に形成される第１案内部と、前記配設部材の変位により前記第１案内部に案内される第１被案内部と、第２部材に形成される第２案内部と、前記配設部材の変位により前記第２案内部に案内される第２被案内部と、を備え、
前記第１手段は、前記第１部材と、前記第２部材と、を備えることを特徴とする遊技機。
【請求項２】
基板ボックスを備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、駆動力を発生する駆動手段と、その駆動手段が発生する駆動力により駆動されて変位される被駆動部材と、その被駆動部材を変位可能とするための第１手段と、を備えるものであり、前記被駆動部材に対して変位可能に配設される配設部材と、その配設部材の前記第１手段に対する変位を規定する変位規定手段と、を備え、前記変位規定手段により前記配設部材の前記第１手段に対する変位が規定されることで、前記駆動手段の駆動力により前記被駆動部材が変位される際に、前記配設部材が前記被駆動部材に対して相対変位され、前記変位規定手段は、第１部材に形成される第１案内部と、前記配設部材の変位により前記第１案内部に案内される第１被案内部と、第２部材に形成される第２案内部と、前記配設部材の変位により前記第２案内部に案内される第２被案内部と、を備え、前記第１手段は、前記第１部材と、前記第２部材と、を備える。
【手続補正３】
【補正対象書類名】明細書
【補正対象項目名】０００７
【補正方法】変更
【補正の内容】
【０００７】
請求項２記載の遊技機は、請求項１記載の遊技機において、基板ボックスを備える。
【手続補正４】
【補正対象書類名】明細書
【補正対象項目名】０３９３
【補正方法】変更
【補正の内容】
【０３９３】
１０              パチンコ機（遊技機）
６０              ベース板（前方部材）
８６              センターフレーム（前方部材）
１００，１０１，１０２，１０３，１０４ 基板ボックス
４１０            ケース体（保持部材）
４２０            駆動モータ（駆動手段）
４３１            ピニオンギヤ（伝達手段の一部）
４３２            中間ギヤ（伝達手段の一部）
４３３            クランクギヤ（伝達手段の一部、回転部材）
４４０            基側変位部材（変位部材の一部）
４４４            第２スライド孔（スライド溝）
４５０            相対変位部材（変位部材の一部）
４５３            スライドピン（ピン部材）
４６０            連結ロッド（伝達手段の一部、リンク部材）
４８０            装飾部材
５１０            正面ケース体（第１手段の一部、第１部材、遮蔽部材）
５１３            第１案内溝（第１案内部、変位規定手段の一部）
５２３            第２案内溝（第２案内部、変位規定手段の一部）
５２０            背面ケース体（第１手段の一部、第２部材、遮蔽部材）
５３０            駆動モータ（駆動手段）
５５０            被駆動部材
５５２ａ          接続溝（接続溝部、変位規定手段の一部）
５６０            従動部材（配設部材）
５６１ａ          第１ピン（第１被案内部、変位規定手段の一部）
５６１ｂ          接続軸（第２被案内部、変位規定手段の一部）
５６３ａ          当接面（当接部）
６１０            正面ケース体（保持部材の一部）
６１２            筒状部
６２０            背面ケース体（保持部材の一部）
６３０            駆動モータ（駆動手段）
６３１            ピニオンギヤ（第１伝達手段の一部、第２伝達手段の一部）
６４１            第１収納ギヤ（第１伝達手段の一部、第２伝達手段の一部）
６４２            第２収納ギヤ（第１歯車）
６４３            第３収納ギヤ（第２伝達手段の一部）
６４４            第４収納ギヤ（第２伝達手段の一部）
６４５            第５収納ギヤ（第２伝達手段の一部）
６４６            正面ギヤ（第２歯車）
６５０            第１回転体
６５１            本体部
６５１ａ          第１突出部（突出部の一部、内側突出部）
６５１ｂ          第２突出部（突出部の一部、内側突出部）
６５２            正面演出部（一側フランジ部、第１部分および第２部分）
６５３            収納フランジ部（他側フランジ部）
６５３ａ          第１外周ギヤ（第１回転体の外周面に刻設された歯車）
６６０            第２回転体
６６１ａ          第２外周ギヤ（第２回転体の外周面に刻設された歯車）
６７０            球体液晶装置（演出部材）
６８２            発光素子（発光手段）
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、前記主制御手段からのコマンドに基づき遊技の演出を制御する従制御手段と、を備え、
始動条件の成立に基づき識別情報の変動表示を実行し、該識別情報の変動表示が特別結果になると遊技者に有利な特別遊技状態を発生可能な遊技機において、
前記主制御手段は、
前記始動条件の成立に基づき判定情報を取得して前記識別情報の変動表示を実行するための保留記憶として記憶する記憶手段と、
前記判定情報を前記識別情報の変動表示の開始時に判定し、該判定の結果に応じた第１コマンドを送信することが可能な第１コマンド送信手段と、を備え、
前記従制御手段は、
前記主制御手段から受信した前記第１コマンドに基づき、表示手段に表示させた演出図柄の変動表示を伴う変動演出を実行する変動演出実行手段を備え、
前記変動演出実行手段は、
前記演出図柄の表示中に前記第１コマンドを正常に受信できなかった場合には、前記演出図柄を表示したまま前記変動演出を実行しないことを特徴とする遊技機。
【請求項２】
前記主制御手段は、
前記判定情報を前記識別情報の変動表示の開始前に判定し、該判定の結果に応じた第２コマンドを送信することが可能な第２コマンド送信手段を備え、
前記従制御手段は、
前記記憶手段に記憶された判定情報の記憶数に応じた保留表示を行う保留表示手段と、
前記主制御手段から受信した前記第２コマンドに基づき、前記保留表示を通常態様とは異なる特定態様で表示させる先読み演出を実行する先読み演出実行手段と、を備え、
前記先読み演出実行手段は、
前記先読み演出が開始された前記識別情報の変動表示の次に実行される前記識別情報の変動表示中に前記変動演出が実行されない場合、前記先読み演出を継続することが可能であることを特徴とする請求項１に記載の遊技機。
【手続補正２】
【補正対象書類名】明細書
【補正対象項目名】０００７
【補正方法】変更
【補正の内容】
【０００７】
上記課題を解決するため、本発明は、遊技の進行を制御する主制御手段と、前記主制御手段からのコマンドに基づき遊技の演出を制御する従制御手段と、を備え、始動条件の成立に基づき識別情報の変動表示を実行し、該識別情報の変動表示が特別結果になると遊技者に有利な特別遊技状態を発生可能な遊技機において、前記主制御手段は、前記始動条件の成立に基づき判定情報を取得して前記識別情報の変動表示を実行するための保留記憶として記憶する記憶手段と、前記判定情報を前記識別情報の変動表示の開始時に判定し、該判定の結果に応じた第１コマンドを送信することが可能な第１コマンド送信手段と、を備え、前記従制御手段は、前記主制御手段から受信した前記第１コマンドに基づき、表示手段に表示させた演出図柄の変動表示を伴う変動演出を実行する変動演出実行手段を備え、前記変動演出実行手段は、前記演出図柄の表示中に前記第１コマンドを正常に受信できなかった場合には、前記演出図柄を表示したまま前記変動演出を実行しないことを特徴とする。
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
複数の遊技機が設置された遊技場を管理する遊技場管理装置において、
遊技場内における遊技機の配置を示すレイアウトを表示するレイアウト表示領域と、
新しく遊技場に設置する新規遊技機の情報を表示する新規遊技機表示領域と、
遊技場の管理者が前記新規遊技機の位置を前記レイアウト上で決定する操作を行った場合に、その位置に当該新規遊技機を設置している状態に前記レイアウトの情報を更新するレイアウト更新手段と、
遊技場の管理者の操作に基づいて、既にレイアウト上に設置されている既存遊技機の情報を、当該レイアウト上の他の位置に再設置可能に退避して表示する退避表示領域と、
前記レイアウト表示領域、前記新規遊技機表示領域、及び前記退避表示領域を有した表示手段と、
を備えたことを特徴とする遊技場管理装置。
【手続補正書】
【提出日】平成29年4月5日(2017.4.5)
【手続補正１】
【補正対象書類名】特許請求の範囲
【補正対象項目名】請求項１
【補正方法】変更
【補正の内容】
【請求項１】
作業者の肩部に装着される肩ベルトと、前記作業者の腿部に装着される腿ベルトと、前記肩ベルト及び前記腿ベルトを連結する第１バックルと、を含むハーネス型安全帯と、
前記作業者の胴に装着される胴ベルトと、前記肩ベルトの側に設けられる前記第１バックルの一方とともに前記肩ベルト及び前記胴ベルトを連結する第２バックルと、前記腿ベルトの側に設けられる前記第１バックルの他方とともに前記腿ベルト及び前記胴ベルトを連結する第３バックルと、を含む胴ベルト型安全帯と、
を備えたことを特徴とする安全帯。
【手続補正２】
【補正対象書類名】明細書
【補正対象項目名】０００６
【補正方法】変更
【補正の内容】
【０００６】
前述した課題を解決する主たる本発明は、作業者の肩部に装着される肩ベルトと、前記作業者の腿部に装着される腿ベルトと、前記肩ベルト及び前記腿ベルトを連結する第１バックルと、を含むハーネス型安全帯と、前記作業者の胴に装着される胴ベルトと、前記肩ベルトの側に設けられる前記第１バックルの一方とともに前記肩ベルト及び前記胴ベルトを連結する第２バックルと、前記腿ベルトの側に設けられる前記第１バックルの他方とともに前記腿ベルト及び前記胴ベルトを連結する第３バックルと、を含む胴ベルト型安全帯と、を備える安全帯である。
【手続補正３】
【補正対象書類名】明細書
【補正対象項目名】００３０
【補正方法】変更
【補正の内容】
【００３０】
以上説明したように、本実施形態に係る安全帯１は、作業者の右肩部及び左肩部の夫々に装着される肩ベルト２Ａ，２Ｂと、作業者の右腿部及び左腿部の夫々に装着される腿ベルト２Ｄ，２Ｅと、肩ベルト２Ａ，２Ｂ及び腿ベルト２Ｄ，２Ｅを連結するバックル２ＪＰ，２ＪＮ，２ＭＰ，２ＭＮと、を含むハーネス型安全帯２と、作業者の胴に装着される胴ベルト３Ａと、肩ベルト２Ａ，２Ｂの側に設けられるバックル２ＪＮ，２ＭＮとともに肩ベルト２Ａ，２Ｂ及び胴ベルト３Ａを連結するバックル３Ｆ，３Ｇと、腿ベルト２Ｄ，２Ｅの側に設けられるバックル２ＪＰ，２ＭＰとともに腿ベルト２Ｄ，２Ｅ及び胴ベルト３Ａを連結するバックル３Ｈ，３Ｉと、を含む胴ベルト型安全帯３と、を備えている。本実施形態によれば、高所作業の内容に応じて、ハーネス型安全帯２及び胴ベルト型安全帯３を一体として使用することも別体として使用することも可能になる。
【手続補正書】
【提出日】平成29年2月14日(2017.2.14)
【手続補正１】
【補正対象書類名】明細書
【補正対象項目名】００１６
【補正方法】変更
【補正の内容】
【００１６】
（作用効果）
伸縮ホットメルト接着剤を用いると、その接着部分の硬質化は避けることができないが、本項記載のように接着部分を幅方向に細長く延びる形状とし、前後方向に間隔を空けて複数設けることにより、伸縮ホットメルト接着剤による硬質化を抑制することができる。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
低減したコヒーレンスおよび／または低減した燃焼ダイナミクスを有する燃焼器のための燃料送出システムであって、
第１の燃料噴射器のセットに第１の燃料流を送出し、該第１の燃料流を加熱する燃料加熱器を備える、第１のマニホルドと、
第２の燃料噴射器のセットに第２の燃料流を送出するための第２のマニホルドとを備え、
前記第１の燃料流は第１の温度を含み、
前記第２の燃料流は第２の温度を含み、
前記第２のマニホルドラインは、周囲温度のソース流及び、加熱された前記第１の燃料流と連通し、第２の燃料流を生成する燃料混合器を備え、
前記第１の温度は前記第２の温度より高い燃料送出システム。
【請求項２】
前記第１の燃料噴射器のセットは、第１の燃焼器缶内に配置され、前記第２の燃料噴射器のセットは、第２の燃焼器缶内に配置される請求項１記載の燃料送出システム。
【請求項３】
前記第１の燃料噴射器のセットは、第１の燃焼器缶内に配置され、前記第２の燃料噴射器のセットは、第１の燃焼器缶内に配置される請求項１または２に記載の燃料送出システム。
【請求項４】
前記第１のマニホルドおよび燃料源に連通する第１のマニホルドラインをさらに備える請求項１記載の燃料送出システム。
【請求項５】
前記第１のマニホルドラインは、前記第１のマニホルドライン上に燃料加熱器を備える請求項４記載の燃料送出システム。
【請求項６】
前記第２のマニホルドおよび周囲温度のソース流を有する燃料源に連通する第２のマニホルドラインをさらに備え、
前記第２のマニホルドラインは、前記第２のマニホルドライン上に燃料混合器を備え、
前記燃料混合器は、前記第１の燃料流と連通するタップオフラインを備え、それにより、前記燃料混合器は、前記周囲温度の前記ソース流と前記第１の温度の前記第１の燃料流を混合する請求項４記載の燃料送出システム。
【請求項７】
燃料源に連通する第３のマニホルドラインをさらに備える請求項１乃至６のいずれかに記載の燃料送出システム。
【請求項８】
前記第３のマニホルドラインは、前記第３のマニホルドライン上に燃料混合器を備え、
前記第３のマニホルドラインは、前記第３のマニホルドライン内に第３の温度の第３の燃料流を含み、前記第３の温度は前記第２の温度より低いかまたは高い請求項９記載の燃料送出システム。
【請求項９】
燃料源に連通する第４のマニホルドラインをさらに備え、
前記第４のマニホルドラインは、前記第４のマニホルドライン上に燃料混合器を備え、
前記第４のマニホルドラインは、前記第４のマニホルドライン内に第４の温度の第４の燃料流を含み、前記第４の温度は前記第２の温度または前記第３の温度より低いかまたは高い請求項８記載の燃料送出システム。
【請求項１０】
低減したコヒーレンスおよび／または低減した燃焼ダイナミクスを有する燃焼器缶組立体のための燃料送出システムであって、
第１の燃料器缶のセットに第１の燃料流を送出し、該第１の燃料流を加熱する燃料加熱器を備える、第１のマニホルドと、
前記第１のマニホルドに連通する燃料加熱器と、
周囲温度のソース流と連通し、第２の燃料器缶のセットに第２の燃料流を送出するための第２のマニホルドと、
前記第２のマニホルドの周囲温度の前記ソース流及び、加熱された前記第１の燃料流に連通し、第２の燃料流を生成する燃料混合器とを備え、
前記第１の燃料流は第１の温度を含み、
前記第２の燃料流は第２の温度を含み、
前記第１の温度は前記第２の温度より高い燃料送出システム。
【請求項１１】
第３のマニホルドラインをさらに備え、前記第３のマニホルドラインは、前記第３のマニホルドライン内に第３の温度の第３の燃料流を含み、前記第３の温度は前記第２の温度より低いかまたは高く、
第４のマニホルドラインをさらに備え、前記第４のマニホルドラインは、前記第４のマニホルドライン内に第４の温度の第４の燃料流を含み、前記第４の温度は前記第２の温度または前記第３の温度より低いかまたは高い請求項１０記載の燃料送出システム。
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
ガスタービンのタービン燃焼領域におけるガス燃料の燃焼を促進する方法であって、
前記ガス燃料を前記ガスタービンの供給される前に、前記ガス燃料の一部を取り出すステップと、
前記取り出したガス燃料の一部を、基準燃焼チャンバを備えるセンサ装置に供給するステップと、
燃料空気混合気を、前記基準燃焼チャンバで燃焼させて、少なくとも１種の燃焼生成物を生成するステップと、
前記少なくとも１種の燃焼生成物の少なくとも１つの特性を、少なくとも１つの光学式診断センサ装置を用いて測定するステップと、
燃料のウォッベ指数を、前記少なくとも１種の燃焼生成物の測定された前記少なくとも１つの特性に基づいて、リアルタイムで決定するステップと、
決定された前記ウォッベ指数に基づいて、前記ガスタービンの燃焼装置を制御するステップと、
を含む、方法。
【請求項２】
該少なくとも１種の燃焼生成物は、前記基準燃焼チャンバによって生成された火炎および前記基準燃焼チャンバ内で発生した排気ガスの少なくとも一方であり、
前記少なくとも１種の燃焼生成物の前記少なくとも１つの特性は、前記火炎の温度および前記排気ガスの温度のうちの１つである、請求項１に記載の方法。
【請求項３】
前記少なくとも１つの診断装置は、酸素センサを備える酸素検知装置であり、
前記少なくとも１つの特性を測定するステップは、前記酸素センサを用いて前記少なくとも１種の燃焼生成物の酸素濃度を測定するステップを含む、請求項１に記載のセンサ装置。
【請求項４】
該燃料を第１の流量制限デバイスを通して運ぶステップと、
空気を第２の流量制限デバイスを通して運ぶステップと、
をさらに含み、
該第１の流量制限デバイスは、該燃料の比重、該燃料の質量流量、および該第１の流量制限デバイスに渡って生じる該燃料圧差のうちの少なくとも１つを測定し、該第２の流量制限デバイスは、該第２の流量制限デバイスに渡って生じる該空気圧差を測定する、請求項１に記載の方法。
【請求項５】
該燃料の該燃焼に付随する所定の燃焼状態データをコントローラ内に格納するステップと、
該少なくとも１種の燃焼生成物の該測定された少なくとも１つの特性と、該コントローラ内に格納された該所定の燃焼状態データと、該燃料の該測定された比重、該燃料の質量流量、ならびに該第１および第２の流量制限デバイスに渡って生じる該燃料および空気圧差のうちの少なくとも１つと、を用いて、該燃料の該ウォッベ指数を決定するステップと、
をさらに含む請求項４に記載の方法。
【請求項６】
センサ装置であって、
前記センサ装置が、燃料供給ラインから燃料を、空気供給ラインから空気を受け取り、基準燃焼チャンバ内で燃料空気混合気を燃焼して少なくとも１種の燃焼生成物を生成するように構成された、基準燃焼チャンバと、
前記基準燃焼チャンバに結合され、前記基準燃焼チャンバ内の前記少なくとも１種の燃焼生成物の温度を測定するように構成された、少なくとも１つの光学式診断装置と、
前記燃料供給ラインに配置され、第１の流量制限デバイスにわたる前記燃料の比重、前記燃料の質量流量、および前記燃料の燃料圧差のうちの少なくとも１つを測定するように構成された前記第１の流量制限デバイスと、
前記空気供給ラインに配置され、第２の流量制限デバイスにわたる前記空気の差圧を測定するように構成された前記第２の流量制限デバイスと、
前記少なくとも１つの光学式診断装置、前記第１の流量制限デバイス、および前記第２の流量制限デバイスに結合されたコントローラであって、前記燃料のウォッベ指数を、
測定された前記温度と、
測定された第１の流量制限デバイスにわたる前記燃料の比重、前記燃料の質量流量、および前記燃料の燃料圧差のうちの少なくとも１つと、
前記第２の流量制限デバイスにわたる前記空気の差圧と、
に基づいてリアルタイムで決定するように構成された、コントローラと、
を備える、センサ装置。
【請求項７】
前記少なくとも１つの光学式診断装置は、前記基準燃焼チャンバに渡って該少なくとも１種の燃焼生成物を通してレーザ・ビームを送信するように構成された送信部を備えるチューナブル・ダイオード・レーザ吸収分光装置であり、
前記チューナブル・ダイオード・レーザ吸収分光装置は、該レーザ・ビームを受信するように構成された受信部をさらに備える、
請求項６に記載のセンサ装置。
【請求項８】
前記少なくとも１つの光学式診断装置は、集束性レンズを備える発光分光装置であり、
前記発光分光装置は、前記集束性レンズを用いて該少なくとも１種の燃焼生成物から紫外発光を集めるように構成されている、
請求項６に記載のセンサ装置。
【請求項９】
前記少なくとも１つの光学式診断装置は、赤外線センサを備えるファイバ高温測定装置であり、
前記ファイバ高温測定装置は、前記赤外線センサを用いて前記基準燃焼チャンバ内に位置するファイバから赤外発光を検出するように構成されている、
請求項６に記載のセンサ装置。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
タービンバケットであって、
（ａ）タービンロータの第１のロータポスト内の対応する個々の軸方向バケットシャンクスロットと相補的に形成されたバケットベース部であって、
（ａ１）ロータの第１段周方向スロットの軸方向上流に延在して第１のロータポスト内の対応する個々の軸方向バケットシャンクスロットに入るように形作られた前方部分と、
（ａ２）バケットベース部の後部端内に形成され、ロータ内で周方向スロットに接続するように形作られた円周方向突出部と、
（ａ３）バケットベース部の接線方向面上に形成され、第１のロータポスト内の対応する個々の軸方向バケットシャンクスロットに接続するように形作られた軸方向突出部の組と
を含むバケットベース部と、
（ｂ）バケットベース部から半径方向外側に延在し、ベーンに接続するように構成されたバケットプラットフォームと
を備えるタービンバケット。
【請求項２】
軸方向突出部の組が、バケットベース部に沿って延在し、バケットベース部の軸方向長さ全体にわたってロータの荷重を分配するように形作られた接触表面の組を画成する、請求項１記載のタービンバケット。
【請求項３】
前方部分が、対応する個々の軸方向バケットシャンクスロットを介して第１のロータポストを通って延在する寸法を有し、前方部分が、対応する個々の軸方向バケットシャンクスロットを実質的に塞ぎ、第１のロータポストに関して実質的に平面の軸方向表面及び第１のロータポストに関して実質的に平面の半径方向表面を形成する寸法を有する、請求項１又は請求項２記載のタービンバケット。
【請求項４】
バケットプラットフォームが、タービンバケットとロータの第２のロータポストとの間に面取り部を画成し、面取り部が、対応する個々の軸方向バケットシャンクスロットに流れが到達できるように形作られている、請求項１乃至請求項３のいずれか１項記載のタービンバケット。
【請求項５】
バケットプラットフォームが、タービンバケットを通る１以上のアパーチャを画成し、１以上のアパーチャが、対応する個々の軸方向バケットシャンクスロットに流れが到達できるように形作られている、請求項１乃至請求項４のいずれか１項記載のタービンバケット。
【請求項６】
円周方向突出部が、ロータの第２のロータポスト上に配設された円周方向に配向された隆起に接続するように形作られたダブテール形状を有する、請求項１乃至請求項５のいずれか１項記載のタービンバケット。
【請求項７】
軸方向突出部の組が、ロータの第１のロータポスト上に配設された軸方向配向された隆起の組に接続するように構成されたダブテール形状を有する、請求項１乃至請求項６のいずれか１項記載のタービンバケット。
【請求項８】
バケットベース部が、Ｊシールの組に接続するように形作られた溝の組を画成する、請求項１乃至請求項７のいずれか１項記載のタービンバケット。
【請求項９】
ステータと、
ステータによって実質的に囲まれた作動流体通路と、
作動流体通路の半径方向内側に配置され、第１のロータポスト及び第２のロータポストを含むロータと
を備えるタービンであって、ロータが、第１のロータポスト及び第２のロータポストを介してロータに接続された請求項１乃至請求項８のいずれか１項記載のタービンバケットの組を含む、タービン。
【請求項１０】
ロータであって、
タービンの流路を通って延在し、複数のタービン部品を支持するように構成された軸と、
軸の周りに円周方向に配設され、タービンバケットの組のために第１段の円周方向の保持スロットを部分的に画成するように形作られた第１のロータポストであって、複数のバケットシャンクスロットを画成し、複数のバケットシャンクスロットは、第１のロータポストを通って軸方向に延在し、１組のタービンバケットと相補的に形成されている、第１のロータポストと、
軸の周りに円周方向に配設され、タービン内で作動流体の流れに対して第１のロータポストの下流に配置された第２のロータポストであって、第１のロータポストを補完し、第１段の円周方向の保持スロットを部分的に画成するように形作られた、第２のロータポストと
を備えるロータ。
【請求項１１】
複数のバケットシャンクスロットは、相補的タービンバケットに接続するように形作られた軸方向隆起の組を含む、請求項１０記載のロータ。
【請求項１２】
第２のロータポストは、相補的タービンバケット内に画成された円周方向突出部の組に接続するように形作られた円周方向隆起の組を含む、請求項１０又は請求項１１記載のロータ。
【請求項１３】
複数のバケットシャンクスロットは、実質的にダブテールの形状を有する、請求項１０乃至請求項１２のいずれか１項記載のロータ。
【請求項１４】
第１のロータポストは、複数のバケットシャンクスロットによって実質的に分離された複数のロータポスト部を含む、請求項１０乃至請求項１３のいずれか１項記載のロータ。
【請求項１５】
複数のバケットシャンクスロットの表面は、複数のバケットシャンクスロットを通って冷却流を方向付けるように形作られている、請求項１０乃至請求項１４のいずれか１項記載のロータ。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
マイクロチャンネル冷却構成要素を形成する方法であって、
比較的平面のプレートの表面内に少なくとも１つのマイクロチャンネルを形成するステップと、
前記少なくとも１つのマイクロチャンネルを形成させた前記表面上に比較的平面のカバー部材を載置するステップと、
前記比較的平面のカバー部材を前記比較的平面のプレートに接着するステップと、
前記比較的平面のカバー部材を前記比較的平面のプレートに接着する時間期間の少なくとも一部において前記比較的平面のカバー部材を成形構成要素と共にプレスすることによって、前記マイクロチャンネル冷却構成要素を湾曲させるステップと、
を含む、方法。
【請求項２】
前記比較的平面のカバー部材を載置するステップが、前記表面上に複数の予備焼結プリフォームフォイル層を載置するステップを含む、請求項１に記載の方法。
【請求項３】
前記表面上に前記比較的平面のカバー部材を載置するステップが、前記表面上に複数のシートメタルを載置するステップを含む、請求項１または２に記載の方法。
【請求項４】
前記表面上に前記比較的平面のカバー部材を載置するステップが、前記表面上に予備焼結プリフォームフォイル層とシートメタルとを載置するステップを含む、請求項１乃至３のいずれかに記載の方法。
【請求項５】
前記比較的平面のカバー部材を前記比較的平面のプレートに接着するステップが、ろう付け、拡散接合、及び摩擦溶接のうちの少なくとも１つを含む、請求項１乃至４のいずれかに記載の方法。
【請求項６】
前記比較的平面のカバー部材を前記比較的平面のプレートにろう付けするステップが、複数の炉サイクルで炉内ろう付けするステップを含む、請求項５に記載の方法。
【請求項７】
前記マイクロチャンネル冷却構成要素を湾曲させるステップが、複数の成形構成要素を前記比較的平面のカバー部材にプレスするステップを含む、請求項１乃至６のいずれかに記載の方法。
【請求項８】
前記マイクロチャンネル冷却構成要素が、ガスタービンエンジン構成要素を含み、
前記ガスタービンエンジン構成要素が、タービンシュラウドを含む、請求項１乃至７のいずれかに記載の方法。
【請求項９】
マイクロチャンネル冷却構成要素を形成する方法であって、
比較的平面のプレートの表面内に少なくとも１つのマイクロチャンネルを形成するステップと、  前記少なくとも１つのマイクロチャンネルを形成させた前記表面上に比較的平面のカバー部材を載置するステップと、
前記比較的平面のプレート及び前記比較的平面のカバー部材を加熱して、前記比較的平面のカバー部材を前記比較的平面のプレートに接着するステップと、
前記比較的平面のプレート及び前記比較的平面のカバー部材を同時に加熱しながら、前記比較的平面のカバー部材を成形構成要素と共にプレスすることによって、前記マイクロチャンネル冷却構成要素を湾曲させるステップと、
を含む、方法。
【請求項１０】
前記表面上に前記比較的平面のカバー部材を載置するステップが、前記表面上に予備焼結プリフォームフォイル層とシートメタルとを載置するステップを含む、請求項９に記載の方法。
【請求項１１】
前記比較的平面のプレート及び前記比較的平面のカバー部材を加熱して、前記比較的平面のカバー部材を前記比較的平面のプレートに接着するステップが、前記比較的平面のカバー部材を前記比較的平面のプレートにろう付けするステップを含み、
前記比較的平面のカバー部材を前記比較的平面のプレートにろう付けするステップが、炉内ろう付けするステップを含む、請求項９または１０に記載の方法。
【請求項１２】
前記マイクロチャンネル冷却構成要素が、ガスタービンエンジン構成要素を含む、請求項９乃至１１のいずれかに記載の方法。
【請求項１３】
マイクロチャンネル冷却構成要素を形成する方法であって、
少なくとも一方に少なくとも１つのマイクロチャンネルが形成されたカバー部材とプレートとを接着するステップと、
前記カバー部材を前記プレートに同時に接着しながら、前記カバー部材を成形構成要素と共にプレスすることにより、前記マイクロチャンネル冷却構成要素を湾曲させるステップと、
を含む、方法。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
燃料ノズルであって、
ａ. 軸方向中心線に沿ってある長さで軸方向に延びる中央本体と、
ｂ. 前記中央本体の前記長さの少なくとも一部分で前記中央本体を円周方向に囲むシュラウドと、
ｃ.前記中央本体と前記シュラウドとの間で半径方向に延びる複数の壁と、
ｄ.前記中央本体と、前記シュラウドと、前記複数の壁とによって少なくとも部分的に定められ、前記中央本体の前記長さの少なくとも一部分に沿って前記中央本体を円周方向に各々が囲む複数の螺旋通路であって、前記複数の壁が、前記シュラウドの上流端と前記中央本体の下流端の間で前記中央本体の周りに連続して延在する、前記複数の螺旋通路と、
ｅ.各螺旋通路に配置される燃料ポートであって、各燃料ポートが前記燃料ノズルの軸方向中心線に関連して前記複数の螺旋通路の残りの螺旋通路に配置される残りの燃料ポートと異なる軸方向位置を有する、前記燃料ポートと、
を含む、燃料ノズル。
【請求項２】
燃料ノズルであって、
ａ. 軸方向中心線に沿ってある長さで軸方向に延びる中央本体と、
ｂ. 前記中央本体の前記長さの少なくとも一部分で前記中央本体を円周方向に囲むシュラウドと、
ｃ. 前記中央本体の前記長さの少なくとも一部分に沿って前記中央本体を円周方向に囲む複数の螺旋通路であって、前記複数の壁が、前記シュラウドの上流端と前記中央本体の下流端の間で前記中央本体の周りに連続して延在する、前記複数の螺旋通路と、
ｄ.各螺旋形通路配置される燃料ポートであって、各燃料ポートが前記燃料ノズルの軸方向中心線に関連して前記複数の螺旋通路の残りの螺旋通路に配置される残りの燃料ポートと異なる軸方向位置を有する、前記燃料ポートと、
を含む、燃料ノズル。
【請求項３】
前記中央本体の内部に燃料プレナムを更に含む、請求項１または２に記載の燃料ノズル。
【請求項４】
前記シュラウドが、前記複数の壁の下流側で軸方向に延びる、請求項１乃至３のいずれかに記載の燃料ノズル。
【請求項５】
前記シュラウドが直径を定め、該直径が前記複数の壁から下流側で縮小する、請求項１乃至４のいずれかに記載の燃料ノズル。
【請求項６】
前記各壁が、前記シュラウドの上流側で軸方向に延びる、請求項１乃至５のいずれかに記載の燃料ノズル。
【請求項７】
前記各燃料ポートが、前記中央本体を通って異なる螺旋通路に流体連通している、請求項１乃至６のいずれかに記載の燃料ノズル。
【請求項８】
前記各燃料ポートが、前記各螺旋通路内に半径方向に延びる円錐状外側表面を含む、請求項１乃至７のいずれかに記載の燃料ノズル。
【請求項９】
前記各燃料ポートが、隣接する壁と等間隔になっている、請求項１乃至８のいずれかに記載の燃料ノズル。
【請求項１０】
ガスタービンであって、
ａ.圧縮機セクションと、
ｂ.前記圧縮機セクションの下流側の燃焼セクションと、
ｃ.前記燃焼セクションの下流側のタービンセクションと、
ｄ.前記燃焼セクションにおける燃料ノズルと、
ｅ.前記燃料ノズル内で軸方向に延びる複数の螺旋通路であって、前記複数の壁が、前記シュラウドの上流端と前記中央本体の下流端の間で前記中央本体の周りに連続して延在する、前記複数の螺旋通路と、
ｆ.各螺旋形通路配置される燃料ポートであって、各燃料ポートが前記燃料ノズルの軸方向中心線に関連して前記複数の螺旋通路の残りの螺旋通路に配置される残りの燃料ポートと異なる軸方向位置を有する、前記燃料ポートと、
を含む、ガスタービン。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
固定子と、
前記固定子内に配置され、前記固定子に対して回転するように構成された回転子組立体と
を含む電気機械であって、
前記回転子組立体が、
突出回転子極の各隣接対の間に極間空隙が形成されるように内側ハブの回りに互いに離間した複数の突出回転子極を含む回転子鉄心であって、前記回転子鉄心によって開口が各極間空隙に画定される、回転子鉄心と、
前記複数の突出回転子極の間に形成された空隙内に配置された複数のインサートと
を含み、
前記複数のインサートのそれぞれは、
第１の非導電性、非磁性材料で形成され、中空区域をその中に画定する外殻と、
前記外殻によって画定された前記中空区域の中に配置され、前記第１の非導電性、非磁性材料より密度が低い第２の非導電性、非磁性材料で形成された内部充填体と、
を含む、電気機械。
【請求項２】
前記回転子鉄心が、前記複数の突出回転子極が前記内側ハブと一体で形成された複数の回転子歯を備える歯付き回転子を含み、
前記嵌合機構が、前記回転子鉄心の前記内側ハブに形成された開口と嵌合するように構成されたダブテール機構を含む、請求項１記載の電気機械。
【請求項３】
前記複数のインサートのそれぞれが、
軸方向に延びる縦方向部材と、
２つの隣接する回転子歯の間を直角に延び、一対の隣接する回転子歯と組み合わさって歯付き回転子上に滑らかな外表面に形成する横方向部材と
を含むＴ形インサートであって、
前記ダブテール機構が、前記縦方向部材の内側端に形成され、前記回転子鉄心の前記内側ハブに形成された前記開口と嵌合するように構成されたＴ形インサートを含み、
前記複数の回転子歯それぞれが、前記回転子歯の半径方向の最も外側の部分に形成された一対のフランジ状の突起、または前記回転子の歯の半径方向の最も外側の部分の近くに形成された一対の軸方向に延びる切欠きのうちの一方を含み、
前記横方向部材は、前記回転子組立体の回転中に受ける遠心力に抗して前記インサートを所定位置に保持するために、前記フランジ状の突起の対または前記回転子歯に形成された前記軸方向に延びる切欠きの対のうちの前記一方と嵌合するように構成された前記横方向部材の各端部に肩部を含む、請求項２に記載の電気機械。
【請求項４】
前記複数のインサートのそれぞれが、
前記ダブテール機構が、前記外殻に形成され、前記回転子鉄心の前記内側ハブに形成された前記開口と嵌合するように構成され、
前記中空区域の中に形成され、前記外殻と一体で形成されたハニカム構造体をさらに含む、請求項２に記載の電気機械。
【請求項５】
前記回転子鉄心が、前記複数の突出回転子極のそれぞれが他の突出回転子極とは独立した部品を含み、前記複数の独立した突出回転子極は非磁性の内側ハブの回りに周方向に配置され、前記非磁性の内側ハブと嵌合しているセグメント回転子を含み、
前記セグメント回転子の独立した突出回転子極の各隣接対が、極間空隙を形成し、前記複数のインサートのそれぞれが、独立した突出回転子極の隣接対の間に形成された各極間空隙と嵌合するように、前記極間空隙に対応する形状を有する、請求項１乃至４のいずれかに記載の電気機械。
【請求項６】
前記回転子組立体が、前記回転子鉄心の両端に配置された一対のエンドプレートであって、前記エンドプレートの対それぞれが、非導電性および非磁性材料で形成され、前記エンドプレートに形成された複数の開口を含むエンドプレートを、さらに含み、
前記複数のインサートのそれぞれが、前記回転子鉄心の全長にわたって軸方向に延びる一体部分として形成され、前記インサートの両端のそれぞれには嵌合機構が形成され、前記嵌合機構は、前記回転子組立体の回転中に受ける遠心力に抗する前記インサートへの保持強度を付加するように、各エンドプレートの各開口と嵌合するように構成される、請求項１乃至５のいずれかに記載の電気機械。